(57)【要約】【課題】マイナスイオンの放出方向を適正に変更して快適な使用感を得ながら、マイナスイオン放出口の汚染及び尿を含めた異物の浸入を防止して長期にわたって安定的に使用できるようにする。【解決手段】マイナスイオン発生装置１を備えた便座装置である。マイナスイオン発生装置１よりのマイナスイオンを放出するマイナスイオン放出口２を可動させてマイナスイオンの放出方向を変更する可動機構３を備えている。【選択図】　　　　図１
2004081472.tif 000002
【特許請求の範囲】
【請求項１】
マイナスイオン発生装置を備えた便座装置であって、マイナスイオン発生装置よりのマイナスイオンを放出するマイナスイオン放出口を可動させてマイナスイオンの放出方向を変更する可動機構を備えて成ることを特徴とする便座装置。
【請求項２】
着座検知センサーを設け、着座検知センサーによる着座検知結果に基いて、着座したときのマイナスイオンの放出に適した位置に向けてマイナスイオン放出口を可動し、着座検知センサーによる離座検知結果に基いて、離座後又は離座後一定時間の経過した後にマイナスイオン放出口を水平方向より下向きに可動させる制御手段を備えて成ることを特徴とする請求項１記載の便座装置。
【請求項３】
着座検知センサーを設け、着座検知センサーによる着座検知結果に基いて、着座したときのマイナスイオンの放出に適した位置に向けてマイナスイオン放出口を可動し、着座検知センサーによる離座検知結果に基いて、離座後又は離座後一定時間の経過した後にマイナスイオン放出口を人がいないトイレルーム内のマイナスイオンの放出に適した位置に向けて可動させる制御手段を備えて成ることを特徴とする請求項１記載の便座装置。
【請求項４】
離座後にマイナスイオン放出口を上向きに可動した後、一定時間経過後に下向きに可動させる制御手段を備えて成ることを特徴とする請求項３記載の便座装置。
【請求項５】
マイナスイオン発生装置の運転停止後に、マイナスイオン放出口を放出口カバーで閉じる位置に可動する制御手段を備えて成ることを特徴とする請求項１記載の便座装置。
【発明の詳細な説明】
【０００１】
【発明の属する技術分野】
本発明は、マイナスイオンを放出する温水洗浄便座のような便座装置に関し、詳しくは、マイナスイオンの放出方向を適正に変更して快適な使用感を得ながら、マイナスイオン放出口の汚染及び尿を含めた異物の浸入を防止して長期にわたって安定的に使用できるようにしようとする技術に係るものである。
【０００２】
【従来の技術】
従来、マイナスイオン発生装置を備えた温水洗浄便座のような便座装置においては、マイナスイオン発生装置から放出されるマイナスイオンによりトイレ空間の空気環境を向上させ、トイレを快適に使用してリフレッシュ効果を高めるものである。
【０００３】
ところで、マイナスイオン発生装置を備えた便座装置は、特開平１０−２７３９２６号公報のように、マイナスイオン発生装置からのマイナスイオンを放出するマイナスイオン放出口は定置型のものであることから、以下のような問題があった。
【０００４】
１．マイナスイオン放出口よりマイナスイオンが放出されるのに伴って送り出される風が着座した人の露出された肌に直接当たる場合に、冬場においては、ドラフト感、寒気及び不快感を感じる。
【０００５】
２．マイナスイオン放出口を人体、又は、トイレルームに有効的に放出できる位置に向けたり、設けた場合に、男性の小便が飛散してマイナスイオン放出口に浸入したり、誤ってマイナスイオン放出口に放尿されるおそれがあり、マイナスイオン放出口を汚染したり、内部に浸入して内部のマイナスイオン発生装置の機器を損傷させる。便座等の掃除の際に、ホースからの散水、トイレ用洗剤、消臭剤等の異物の侵入においても同様である。加えて、衣服の着脱のときの埃やトイレットペーパーの埃がマイナスイオン放出口より侵入し、埃に弱いマイナスイオン発生装置の故障の原因となる。
【０００６】
３．マイナスイオンの放出方向にトイレットペーパーホルダーや手ぬぐい掛け設置されている場合に、トイレットペーパーホルダーや手ぬぐい掛けがマイナスイオンに帯電して有効的にマイナスイオンの放出ができなくなる。帯電したトイレットペーパーホルダーや手ぬぐい掛けに埃等が付着しやすくなり、汚れが目立つ。
【０００７】
４．マイナスイオンの放出は、人が居る場合は人体に向けて放出することが有効であり、人が居ない場合でトイレルームに有効的にマイナスイオンを放出するマイナスイオン放出口の位置、向き、方向は人が居る場合と異なり、人が居るときと居ないときの両方をいずれも効果的に放出するということはできない。
【０００８】
【発明が解決しようとする課題】
本発明はこのような問題に鑑みてなされたものであり、マイナスイオンの放出方向を適正に変更していずれの場合にも快適な使用感を得ながら、マイナスイオン放出口の汚染及び尿を含めた異物の浸入を防止して長期にわたって安定的に使用することができ、商品価値を大幅に高めることができる便座装置を提供することを課題とするものである。
【０００９】
【課題を解決するための手段】
請求項１の発明においては、マイナスイオン発生装置１を備えた便座装置であって、マイナスイオン発生装置１よりのマイナスイオンを放出するマイナスイオン放出口２を可動させてマイナスイオンの放出方向を変更する可動機構３を備えていることを特徴とするものである。
【００１０】
このような構成によれば、可動機構３によってマイナスイオン放出口２を可動させてマイナスイオンの放出方向を任意の方向に変更することができ、したがって、マイナスイオン放出口２よりマイナスイオンが放出されるのに伴って送り出される風が着座した人の露出された肌に直接当たるのを回避でき、冬場においても、ドラフト感、寒気及び不快感を感じることがなく、かつ、男性の小便が飛散してマイナスイオン放出口２に浸入したり、誤ってマイナスイオン放出口２に放尿されることがなく、マイナスイオン放出口２を汚染したり、内部に浸入して内部のマイナスイオン発生装置１の機器を損傷させることがない。便座等の掃除の際に、ホースからの散水、トイレ用洗剤、消臭剤等の異物の侵入を回避できる。又、衣服の着脱ときの埃やトイレットペーパーの埃がマイナスイオン放出口２より侵入するのを抑制でき、埃に弱いマイナスイオン発生装置１の故障を防止できる。かつ、トイレットペーパーホルダーや手ぬぐい掛けが設置されている場合に、トイレットペーパーホルダーや手ぬぐい掛けを避けてマイナスイオンを放出でき、トイレットペーパーホルダーや手ぬぐい掛けにマイナスイオンが帯電して埃等が付着し、汚れが目立つのを防止できる。しかも、マイナスイオンの放出において、人が居る場合は人体に向けて放出することができ、人が居ない場合でトイレルームに有効的にマイナスイオンを放出することができ、人が居るときと居ないときの両方をいずれも効果的にマイナスイオンを放出することができる。
【００１１】
しかして、マイナスイオンの放出方向を適正に変更していずれの場合にも快適な使用感を得ながら、マイナスイオン放出口の汚染及び尿を含めた異物の浸入を防止して長期にわたって安定的に使用することができ、商品価値を大幅に高めることができる。
【００１２】
請求項２の発明においては、着座検知センサー４を設け、着座検知センサー４による着座検知結果に基いて、着座したときのマイナスイオンの放出に適した位置に向けてマイナスイオン放出口２を可動し、着座検知センサー４による離座検知結果に基いて、離座後又は離座後一定時間の経過した後にマイナスイオン放出口２を水平方向より下向きに可動させる制御手段を備えていることを特徴とするものである。このような構成によれば、着座したときには放出に適した位置に向けてマイナスイオン放出口２を自動的に可動させ、離座したときにはマイナスイオン放出口２を水平方向よりも下向きに自動的に可動させることができ、快適な使用感を得ることと、マイナスイオン放出口２に異物が侵入することを防止することを自動的におこなうことができ、使いやすい。
【００１３】
請求項３の発明においては、着座検知センサー４を設け、着座検知センサー４による着座検知結果に基いて、着座したときのマイナスイオンの放出に適した位置に向けてマイナスイオン放出口２を可動し、着座検知センサー４による離座検知結果に基いて、離座後又は離座後一定時間の経過した後にマイナスイオン放出口２を人がいないトイレルーム内のマイナスイオンの放出に適した位置に向けて可動させる制御手段を備えていることを特徴とするものである。このような構成によれば、着座したときには放出に適した位置に向けてマイナスイオン放出口２を自動的に可動させ、離座したときにはマイナスイオン放出口２を人が居ないトイレルーム内のマイナスイオンの放出に適した位置に向けて自動的に可動させることができ、人が居るときと居ないときの両方においてマイナスイオンを自動的に有効に放出することができる。
【００１４】
請求項４の発明においては、離座後にマイナスイオン放出口２を上向きに可動した後、一定時間経過後に下向きに可動させる制御手段を備えていることを特徴とするものである。このような構成によれば、離座後にマイナスイオン放出口２を上向きに自動的に可動した後、一定時間経過後に下向きに自動的に可動することができ、マイナスイオン放出口２に異物が侵入することを防止することを自動的におこなうことができる。
【００１５】
請求項５の発明においては、マイナスイオン発生装置１の運転停止後に、マイナスイオン放出口２を放出口カバー５で閉じる位置に可動する制御手段を備えていることを特徴とするものである。このような構成によれば、マイナスイオン発生装置１の運転停止後にはマイナスイオン放出口２を放出口カバー５で閉じる位置に自動的に可動することができ、使用後においてマイナスイオン放出口２に異物が侵入することを防止することを自動的におこなうことができる。
【００１６】
【発明の実施の形態】
以下、本発明の実施の形態を説明する。図１は斜視図である。図２は部分拡大側面図である。図３は拡大断面図である。
【００１７】
本発明の便座装置Ａは、温水洗浄便座Ａａを実施の形態として説明するが、温水洗浄機能を具備しないものであってもよいものである。温水洗浄便座Ａａは、便座（図示せず）に取り付けられるものであり、便座６、便蓋７、洗浄ノズル８、温水供給部９及び操作部１０等を備え、操作部１０における操作に基づいて洗浄（温）水を洗浄ノズル８より噴射して局部の洗浄をおこなうものである。操作部１０を設けた温水洗浄便座Ａａの上ケース１２の側面にマイナスイオン発生装置１を付設して生成されたマイナスイオンをマイナスイオン放出口２より放出するものである。マイナスイオン発生装置１は他の箇所に設けてもよく、マイナスイオン発生装置１のオン・オフ操作を操作部１０においておこなうようにしても又、他の箇所に操作スイッチを設けてもよい。
【００１８】
図３に示すように、温水洗浄便座Ａａの上ケース１２の内部に高圧回路ユニット１３が高圧回路ケース１４に囲繞されて内蔵され、上ケース１２の外側にはマイナスイオン放出口２を備えたマイナスイオン発生装置１の外部ケース１５が付設されている。外部ケース１５の内部にはイオン本体ケース１６を設けて高圧回路ユニット１３に接続されたイオン化針１７の外周を囲繞し、イオン本体ケース１６にはイオン本体キャップ１８が取付けられて高圧回路ユニット１３のグランド電極１９に接続された電極板２０の外周を囲繞し、イオン本体キャップ１８にマイナスイオン放出口２の後端部を支持している。しかして、イオン化針１７と電極板２０との間におけるコロナ放電によって形成されたマイナスイオンをマイナスイオン放出口２より放出するものである。この場合、送風装置を内蔵して送風によってマイナスイオンを安定的に供給するようにしてもよい。本実施の形態においては、送風装置はないが、この場合、マイナスイオン発生装置１において形成したマイナスイオンの周知の電子なだれ現象を利用して供給するようにしてもよい。このようなマイナスイオン発生装置１は周知なものである。
【００１９】
図３に示すように、高圧回路ケース１４には回転軸受部２１を形成し、温水洗浄便座Ａａの上ケース１２に形成した回転保持孔２４に回転ベース２３を回転自在に支持し、回転ベース２３をマイナスイオン発生装置１の外部ケース１５にネジ２２にて連結している。しかして、外部ケース１５を手で握って回転させることで、外部ケース１５とともに回転ベース２３を上ケース１２に摺接回転させてマイナスイオン放出口２を任意の向きに変更することができるようにしている。変更後のマイナスイオン放出口２の向きは外部ケース１５及び回転ベース２３と上ケース１２等の摩擦によって維持するようにしても、又、適宜のボールストッパー手段等により、回動位置を維持するようにしてもよい。このように、マイナスイオン放出口２を手動にて回動させてマイナスイオンの放出方向を変更する構成を可動機構３と総称するが、その構成は種々設計変更可能である。
【００２０】
このように可動機構３によってマイナスイオン放出口２を手動で回動させてマイナスイオンの放出方向を任意の方向に変更することができることから、マイナスイオン放出口２よりマイナスイオンが放出されるのに伴って送り出される風が着座した人の露出された肌に直接当たるのを回避することができるのであり、例えば、冬場においても、ドラフト感、寒気及び不快感を感じることがない。
【００２１】
又、マイナスイオン放出口２の向きを下向きに変更しておくことで、男性の小便が飛散してマイナスイオン放出口２に浸入したり、誤ってマイナスイオン放出口に放尿されることを防止することができ、マイナスイオン放出口２を汚染したり、内部に浸入して内部のマイナスイオン発生装置１の機器を損傷させることがない。
【００２２】
更に、便座等の掃除の際に、ホースからの散水、トイレ用洗剤、消臭剤等の異物の侵入を同様に回避することができ、衣服の着脱ときの埃やトイレットペーパーの埃がマイナスイオン放出口より侵入するのを抑制でき、埃に弱いマイナスイオン発生装置１の故障を防止でき、トイレットペーパーホルダーや手ぬぐい掛けが設置されている場合に、トイレットペーパーホルダーや手ぬぐい掛けを避けてマイナスイオンを放出でき、トイレットペーパーホルダーや手ぬぐい掛けにマイナスイオンが帯電して埃等が付着し、汚れが目立つのを防止できる。
【００２３】
しかも、マイナスイオンの放出において、人が居る場合は人体に向けて放出することができ、人が居ない場合はトイレルームに有効的にマイナスイオンを放出することができ、人が居るときと居ないときの両方をいずれも効果的にマイナスイオンを放出することができる。
【００２４】
図４は他の実施の形態を示し、但し、本実施の形態の基本構成は上記実施の形態と共通であり、共通する部分には同一の符号を付して説明は省略する。
【００２５】
本実施の形態においては、温水洗浄便座Ａａの上ケース１２の回転保持孔２４に回転自在に支持された回転ベース２３に従動ギア２５を固定し、モータ２６にて駆動される駆動ギヤ２７を従動ギヤ２５に噛合し、操作部から操作される操作回路２９の操作信号を制御回路２８に入力するようにし、しかして、操作部からの操作信号に基づく制御信号によってモータ２６を駆動させ、マイナスイオン放出口２を形成した外部ケース１５を自動的に回動させてマイナスイオン放出口２を所望の向きに自動的に変更するようにしたものである。この場合、マイナスイオン放出口２の向きの変更量は、操作部の操作釦を押し続ける時間に比例させるようにするとよい。
【００２６】
このように、マイナスイオン放出口２の向きを操作部よりの操作信号によって自動的に所望の向きに変更することができ、使いやすくなるのである。
【００２７】
図５は更に他の実施の形態を示し、但し、本実施の形態の基本構成は上記実施の形態と共通であり、共通する部分には同一の符号を付して説明は省略する。
【００２８】
本実施の形態においては、温水洗浄便座Ａａに測距式の着座検知センサー４（図１参照）を設け、着座検知センサー４の検知結果を制御回路２８に入力するようにし、着座検知センサー４による着座検知結果に基いて、着座したときのマイナスイオンの放出に適した位置（着座した人の位置）に向けてマイナスイオン放出口２を回動し、そして、温水洗浄便座Ａａの使用後においては、着座検知センサー４による離座検知結果に基いて、離座後又は離座後一定時間の経過した後にマイナスイオン放出口２を水平方向より下向きに回動させるようにしたものである。この場合、外部ケース１５の回動角度、時間などの諸条件は制御回路２８に予めプログラムされている。尚、着座検知センサー４は人体検知センサーであってもよい。
【００２９】
しかして、着座及び離座に基く自動制御によって、上記実施の形態において得られる快適な使用感を得ることと、マイナスイオン放出口２に異物が侵入することを防止することを自動制御におこなうことができ、使いやすいものである。
【００３０】
図６は上記自動制御の実施の形態の側面図を示し、着座検知センサー４による着座検知結果に基いて、着座したときのマイナスイオンの放出に適した位置（図６（ａ）に示すように約４５°斜め上方）に向けてマイナスイオン放出口２を自動制御により可動し、マイナスイオン放出口２よりマイナスイオンを温水洗浄便座Ａａを使用する人に良好に供給するのであり、そして、着座検知センサー４による離座検知結果に基いて、離座後又は離座後一定時間の経過した後にマイナスイオン放出口２を水平方向より下向き（図６（ｂ）に示すように真下）に自動制御により可動させるのであり、快適な使用感を得ることと、マイナスイオン放出口２に異物が侵入することを防止することを自動制御にておこなうことができ、使いやすいものである。
【００３１】
図７は自動制御において他の実施の形態の側面図を示し、但し、本実施の形態の基本構成は上記実施の形態と共通であり、共通する部分には同一の符号を付して説明は省略する。
【００３２】
本実施の形態においては、着座検知センサー４による着座検知結果に基いて、着座したときのマイナスイオンの放出に適した位置（着座した人の位置）に向けてマイナスイオン放出口２を回動し（図６（ａ）参照）、そして、温水洗浄便座Ａａの使用後においては、着座検知センサー４による離座検知結果に基いて、離座後又は離座後一定時間の経過した後にマイナスイオン放出口２を水平方向より上向きに回動させるようにしたものである（図７参照）。この場合、外部ケース１５の回動角度、時間などの諸条件は制御回路２８に予めプログラムされているのはいうまでもない。
【００３３】
しかして、温水洗浄便座Ａａの使用において、着座したときには放出に適した位置に向けてマイナスイオン放出口２を自動的に可動させ、離座したときにはマイナスイオン放出口２を人がいないトイレルーム内のマイナスイオンの放出に適した位置に向けて自動制御にて可動させることができるのであり、人が居るときと居ないときの両方においてマイナスイオンを自動的に有効に放出することができるのである。
【００３４】
自動制御における他の実施の形態としては、図７の自動制御の実施の形態ようにマイナスイオン放出口２を水平方向より上向きに回動させたてマイナスイオンを人の居ない好適な方向に所定の時間放出し、所定時間の経過後に、マイナスイオン発生装置１の運転を停止し、マイナスイオン放出口２を下向きに自動的に回動させるようにしたものがあるが、他の制御形態のものにしてもよいものである。
【００３５】
このような実施の形態においては、人が居るときと居ないときの両方においてマイナスイオンを自動的に有効に放出して快適な使用感を得ることと、マイナスイオン放出口２に異物が侵入することを防止することを自動制御にておこなうことができ、使いやすいものである。
【００３６】
図８乃至図１０は更に他の実施の形態を示し、但し、本実施の形態の基本構成は上記実施の形態と共通であり、共通する部分には同一の符号を付して説明は省略する。
【００３７】
本実施の形態においては、着座検知センサー４による着座検知結果に基いて、着座したときのマイナスイオンの放出に適した位置（着座した人の位置）に向けてマイナスイオン放出口２を回動し（図８参照）、そして、温水洗浄便座Ａａの使用後においては、着座検知センサー４による離座検知結果に基いて、離座後又は離座後一定時間の経過した後にマイナスイオン発生装置１の運転を停止し、その後、マイナスイオン放出口２を水平方向に回動させて温水洗浄便座Ａａの上ケース１２に設けている放出口カバー５にマイナスイオン放出口２を対向させて塞ぐように自動制御するようにしたものである。
【００３８】
本実施の形態においては、マイナスイオン放出口２を上向きに制御することと、マイナスイオン放出口２を略水平方向に回動させて異物が侵入することを防止することができながら、マイナスイオン放出口２の回動範囲を略４５°の範囲に抑えることができる。
【００３９】
【発明の効果】
請求項１の発明においては、マイナスイオン発生装置を備えた便座装置であって、マイナスイオン発生装置よりのマイナスイオンを放出するマイナスイオン放出口を可動させてマイナスイオンの放出方向を変更する可動機構を備えているから、可動機構によってマイナスイオン放出口を可動させてマイナスイオンの放出方向を任意の方向に変更することができ、マイナスイオン放出口よりマイナスイオンが放出されるのに伴って送り出される風が着座した人の露出された肌に直接当たるのを回避することができ、冬場においても、ドラフト感、寒気及び不快感を感じることがなく、男性の小便が飛散してマイナスイオン放出口に浸入したり、誤ってマイナスイオン放出口に放尿されることを防止することができ、マイナスイオン放出口を汚染したり、内部に浸入して内部のマイナスイオン発生装置の機器を損傷させることがなく、便座等の掃除の際に、ホースからの散水、トイレ用洗剤、消臭剤等の異物の侵入を同様に回避することができ、衣服の着脱ときの埃やトイレットペーパーの埃がマイナスイオン放出口より侵入するのを抑制でき、埃に弱いマイナスイオン発生装置の故障を防止でき、トイレットペーパーホルダーや手ぬぐい掛けが設置されている場合に、トイレットペーパーホルダーや手ぬぐい掛けを避けてマイナスイオンを放出でき、トイレットペーパーホルダーや手ぬぐい掛けにマイナスイオンが帯電して埃等が付着し、汚れが目立つのを防止でき、マイナスイオンの放出において、人が居る場合は人体に向けて放出することができ、人が居ない場合でトイレルームに有効的にマイナスイオンを放出することができ、人が居るときと居ないときの両方をいずれも有効的に放出することができる。
【００４０】
しかして、マイナスイオンの放出方向を適正に変更していずれの場合にも快適な使用感を得ながら、マイナスイオン放出口の汚染及び尿を含めた異物の浸入を防止して長期にわたって安定的に使用することができ、商品価値を大幅に高めることができるという利点がある。
【００４１】
請求項２の発明においては、請求項１の効果に加えて、着座検知センサーを設け、着座検知センサーによる着座検知結果に基いて、着座したときのマイナスイオンの放出に適した位置に向けてマイナスイオン放出口を可動し、着座検知センサーによる離座検知結果に基いて、離座後又は離座後一定時間の経過した後にマイナスイオン放出口を水平方向より下向きに可動させる制御手段を備えているから、着座したときには放出に適した位置に向けてマイナスイオン放出口を自動的に可動させ、離座したときにはマイナスイオン放出口を水平方向よりも下向きに自動的に可動させることができ、快適な使用感を得ることと、マイナスイオン放出口に異物が侵入することを防止することを自動的におこなうことができ、使いやすいという利点がある。
【００４２】
請求項３の発明においては、請求項１の効果に加えて、着座検知センサーを設け、着座検知センサーによる着座検知結果に基いて、着座したときのマイナスイオンの放出に適した位置に向けてマイナスイオン放出口を可動し、着座検知センサーによる離座検知結果に基いて、離座後又は離座後一定時間の経過した後にマイナスイオン放出口を人がいないトイレルーム内のマイナスイオンの放出に適した位置に向けて可動させる制御手段を備えているから、着座したときには放出に適した位置に向けてマイナスイオン放出口を自動的に可動させ、離座したときにはマイナスイオン放出口を人がいないトイレルーム内のマイナスイオンの放出に適した位置に向けて自動制御にて可動させることができ、人が居るときと居ないときの両方においてマイナスイオンを自動制御によって有効に放出することができるという利点がある。
【００４３】
請求項４の発明においては、請求項３の効果に加えて、離座後にマイナスイオン放出口を上向きに可動した後、一定時間経過後に下向きに可動させる制御手段を備えているから、離座後にマイナスイオン放出口を上向きに自動的に可動した後、一定時間経過後に下向きに自動制御にて可動することができ、マイナスイオン放出口に異物が侵入することを防止することを自動制御にておこなうことができるという利点がある。
【００４４】
請求項５の発明においては、請求項１の効果に加えて、マイナスイオン発生装置の運転停止後に、マイナスイオン放出口を放出口カバーで閉じる位置に可動する制御手段を備えているから、マイナスイオン発生装置の運転停止後にはマイナスイオン放出口を放出口カバーで閉じる位置に自動的に可動することができ、使用後においてマイナスイオン放出口に異物が侵入することを防止することを自動制御にておこなうことができるという利点がある。
【図面の簡単な説明】
【図１】本発明の実施の一形態の斜視図である。
【図２】同上の部分拡大側面図である。
【図３】図２のＸ−Ｘ線断面図である。
【図４】同上の他の実施の形態の説明図である。
【図５】同上の更に他の実施の形態の説明図である。
【図６】（ａ）（ｂ）は同上の自動制御における動作を示す側面図である。
【図７】同上の他の自動制御における動作を示す側面図である。
【図８】同上の更に他の実施の形態における動作を示す側面図である。
【図９】同上の動作を示す側面図である。
【図１０】同上の平面図である。
【符号の説明】
１　マイナスイオン発生装置
２　マイナスイオン放出口
３　可動機構
４　着座検知センサー
５　放出口カバー
【図１】
2004081472.tif 000003
【図２】
2004081472.tif 000004
【図３】
2004081472.tif 000005
【図４】
2004081472.tif 000006
【図５】
2004081472.tif 000007
【図６】
2004081472.tif 000008
【図７】
2004081472.tif 000009
【図８】
2004081472.tif 000010
【図９】
2004081472.tif 000011
【図１０】
2004081472.tif 000012